(57)【要約】      （修正有）【課題】使用者が不快感を覚えにくい空気調和機の室外機を提供する。【解決手段】底板２２を備えたケーシングと、底板２２の周縁に立設された固定板３と、側周板２１の外側に向かって突出するように固定板３に固定されてケーシングの外部で冷媒配管１０ａ、１０ｂと接続される閉鎖弁５１、５２と、固定板３に取り付けられ閉鎖弁５１、５２を囲むカバー４と、を備え、固定板３にはケーシングの内側に向かって凹んだ凹部３１を有しており、凹部３１には閉鎖弁５１、５２が固定されており、凹部３１には、閉鎖弁５１、５２が固定された下方にケーシング内部に貫通する貫通孔３４が形成されている空気調和機の室外機１０１。【選択図】図３
2018141572.tif 000002
【特許請求の範囲】
【請求項１】
底板を備えたケーシングと、
前記底板の周縁に立設された固定板と、
前記ケーシングの外側に向かって突出するように前記固定板に固定されて前記ケーシングの外部で冷媒配管と接続される閉鎖弁と、
前記固定板に取り付けられ前記閉鎖弁を囲むカバーと、を備えた空気調和機の室外機であって、
前記固定板には前記ケーシングの内側に向かって凹んだ凹部を有しており、前記凹部には前記閉鎖弁が固定されており、
前記凹部には、前記閉鎖弁が固定された下方に前記ケーシング内部に貫通する貫通孔が形成されていることを特徴とする空気調和機の室外機。
【請求項２】
前記貫通孔の上端で前記固定板と連続しているとともに先端が下方を向くように前記ケーシングの内側に延びる内板部が設けられている請求項１に記載の空気調和機の室外機。
【請求項３】
前記貫通孔の下端で前記固定板と連続しているとともに先端が上方を向とともに前記閉鎖弁の下方の少なくとも一部と上下に重なるように前記ケーシングの外側に延びる外板部が設けられている請求項１又は請求項２に記載の空気調和機の室外機。
【請求項４】
前記凹部は、鉛直方向に立設する底面部を有しており、
前記貫通孔が前記底面部に設けられている請求項１から請求項３のいずれかに記載の空気調和機の室外機。
【請求項５】
前記凹部は、前記ケーシングの内側に向かって狭くなるように傾斜した傾斜面部を有しており、
前記貫通孔が前記傾斜面部に設けられている請求項１から請求項４のいずれかに記載の空気調和機の室外機。
【請求項６】
前記貫通孔は、長手方向が水平な矩形状である請求項１から請求項５のいずれかに記載の空気調和機の室外機。
【請求項７】
前記カバーには、前記固定板と接触する接触部が設けられており、
前記貫通孔は、前記接触部が接触する部分よりも上方に設けられている請求項１から請求項６のいずれかに記載の空気調和機の室外機。
【発明の詳細な説明】
【技術分野】
【０００１】
本発明は、空気調和機の室外機に関する。
【背景技術】
【０００２】
空気調和機の室外機は、室内機との間で冷媒のやり取りを行う冷媒配管が取り付けられる閉鎖弁を備えている。閉鎖弁は、冷媒配管と接続するため、室外機の外部に露出している。空気調和機の動作状態や室外機の取り付け位置によって、閉鎖弁には結露が生じる。この結露水をそのままにしておくと、結露水が室外機に漏れてしまう。
【０００３】
例えば、特開２０１２−１２３６４０号公報に記載の空気調和機の室外機では、室外機の側面に結露水をケーシング内に導入する結露水導入孔と、カバー部材に板状部を設けておき、板状部をケーシングに押し付けるとともに、ケーシングに設けた突出部と接触させて、結露水を結露水導入孔に案内する結露水案内部を構成するものが開示されている。
【先行技術文献】
【特許文献】
【０００４】
【特許文献１】特開２０１２−１２３６４０号公報
【発明の概要】
【発明が解決しようとする課題】
【０００５】
しかしながら、上述している空気調和機の室外機では、結露水案内部及び突出部を別途用意しなくてはならず、構成が煩雑になる。また、カバー部材が樹脂で製造される場合、カバー部材のばらつきや熱による変形によって、ケーシングとの間に隙間ができたり、突出部との間に隙間ができたりして、結露水を確実に結露水導入孔に導くことができずに、結露水が外部に漏れ、使用者が不快感を覚える虞がある。
【０００６】
そこで、本発明は、使用者が不快感を覚えにくい空気調和機の室外機を提供することを目的とする。
【課題を解決するための手段】
【０００７】
上記目的を達成するために本発明の空気調和機の室外機は底板を備えたケーシングと、前記底板の周縁に立設された固定板と、前記ケーシングの外側に向かって突出するように前記固定板に固定されて前記ケーシングの外部で冷媒配管と接続される閉鎖弁と、前記固定板に取り付けられ前記閉鎖弁を囲むカバーと、を備えた空気調和機の室外機であって、前記固定板には前記ケーシングの内側に向かって凹んだ凹部を有しており、前記凹部には前記閉鎖弁が固定されており、前記凹部には、前記閉鎖弁が固定された下方に前記ケーシング内部に貫通する貫通孔が形成されていることを特徴とする。
【０００８】
この構成によると、閉鎖弁で発生した結露を貫通孔を介してケーシングの内部に流入させることができる。これにより、想定していない部分から結露水が外部に流出して、結露水による水たまりができたり、室外機の下部を歩く人に結露水が落下したりするのを抑制できる。これにより、使用者が不快感を覚えにくい。
【０００９】
上述した空気調和機の室外機において、前記貫通孔の上端で前記固定板と連続しているとともに先端が下方を向くように前記ケーシングの内側に延びる内板部が設けられていてもよい。内板部を設けることで、貫通孔の上方から流れる結露水をケーシング内に導くことができる。
【００１０】
上述した空気調和機の室外機において、前記貫通孔の下端で前記固定板と連続しているとともに先端が上方を向とともに前記閉鎖弁の下方の少なくとも一部と上下に重なるように前記ケーシングの外側に延びる外板部が設けられていてもよい。外板部を設けることで、閉鎖弁から落下した結露水を、受けるとともにケーシング内に流すことができる。
【００１１】
上記構成において、前記凹部は、鉛直方向に立設する底面部を有しており、  前記貫通孔が前記底面部に設けられていてもよい。
【００１２】
上記構成において、前記凹部は、前記ケーシングの内側に向かって狭くなるように傾斜した傾斜面部を有しており、前記貫通孔が前記傾斜面部に設けられていてもよい。
【００１３】
上記構成において、前記貫通孔は、長手方向が水平な矩形状であってもよい。
【００１４】
上記構成において、前記カバーには、前記固定板と接触する接触部が設けられており、前記貫通孔は、前記接触部が接触する部分よりも上方に設けられていてもよい。
【発明の効果】
【００１５】
本発明によると、本発明は、使用者が不快感を覚えにくい空気調和機の室外機を提供することができる。
【図面の簡単な説明】
【００１６】
【図１】空気調和機の概略配置を示す図である。
【図２】空気調和機の室外機の斜視図である。
【図３】空気調和機の室外機の閉鎖弁固定板の近傍を拡大した拡大斜視図である。
【図４】閉鎖弁固定板に閉鎖弁カバーを取り付けた状態の断面図である。
【図５】本発明にかかる空気調和機の室外機の他の例の閉鎖弁固定板に閉鎖弁カバーを取り付けた状態の断面図である。
【図６】本発明にかかる空気調和機の室外機の他の例の閉鎖弁固定板に閉鎖弁カバーを取り付けた状態の断面図である。
【図７】本発明にかかる空気調和機の室外機の他の例の閉鎖弁固定板に閉鎖弁カバーを取り付けた状態の断面図である。
【発明を実施するための形態】
【００１７】
以下に本発明の実施形態について図面を参照して説明する。
【００１８】
（空気調和機について）
空気調和機について説明する。図１は、空気調和機の概略配置を示す図である。
【００１９】
図１に示すように、空気調和機１は、室外機１０１と、室内機１０２とを有する。室外機１０１には、圧縮機１１と、四方弁１２と、室外熱交換器１３と、室外ファン１４と、膨張器１５と、が配される。また、室内機１０２には、室内熱交換器１６と、室内ファン１７が配される。なお、膨張器１５は室外機１０１ではなく、室内機１０２に設けられていてもよい。
【００２０】
そして、圧縮機１１、四方弁１２、室外熱交換器１３、膨張器１５及び室内熱交換器１６が冷媒配管で接続されているとともに、内部に冷媒が封入されて、公知のヒートポンプを構成している。
【００２１】
圧縮機１１は冷媒を圧縮する装置であり、圧縮機１１の動作（例えば、回転数）を制御することで空調の条件（温度、湿度）を変更することが可能となっている。四方弁１２は冷媒回路の流れ方向を変更するものである。四方弁１２で冷媒が流れる方向を切り替えることで、空気調和機１は、居室内を冷却する冷房運転又は居室内を暖める暖房運転に切り替わる。膨張器１５は冷媒の圧力を低下させるものであり、例えば、キャピラリーチューブや膨張弁等が採用される。
【００２２】
室外熱交換器１３及び室内熱交換器１６はそれぞれ、居室の外部及び内部で空気と冷媒との熱交換を行うためのものであり、例えば、冷媒配管に断面積を増やすためのフィンが設けられた構成を挙げることができる。このフィンに空気を吹き付け、強制的に空気を送り込むことで熱交換の効率を高めることが可能である。そのため、空気調和機１では、室外熱交換器１３の近傍に室外ファン１４が、室内熱交換器１６の近傍に室内ファン１７が設けられている。
（第１実施形態）
【００２３】
本発明の要部である空気調和機１の室外機１０１の詳細について新たな図面を参照して説明する。図２は、空気調和機の室外機の斜視図である。図３は、空気調和機の室外機の閉鎖弁固定板の近傍を拡大した拡大斜視図である。
【００２４】
図２、図３に示すように、室外機１０１は、ケーシング２に覆われている。ケーシング２は、側周板２１と、底板部２２と、天板部２３とを有する。また、室外機１０１には、閉鎖弁５１、５２と、閉鎖弁固定板３と、閉鎖弁カバー４と、が設けられている。底板部２２は、室外機１０１の基板であり、底部２２１と、底部２２１の辺縁部から立設された立ち上げ部２２２とを備える。底板部２２は、室外機１０１の内部に配された機器（室外熱交換器１３、配管等）や、閉鎖弁５１、５２で発生した結露水を受ける受け皿としての役割を果たす。そして、図示を省略しているが、底板部２２には、結露水を排出するための排水部が設けられている。
【００２５】
側周板２１は、室外機１０１の側面を覆う外装体である。側周板２１は、底板部２２の立ち上げ部２２２に固定される。なお、固定方法としては、ねじ止めを挙げることができるが、これに限定されない。側周板２１は、通気用開口２１１と、切り欠き２１２とを有する。通気用開口２１１は、室外機１０１の内部に配された室外ファン１４の駆動によって空気を取り込むための開口である。図示を省略しているが、通気用開口２１１には、例えば、格子状に形成された通風カバーが取り付けられる。通風カバーを取り付けることで、ごみ等の異物の室外機１０１の内部への進入を抑制する。切り欠き２１２は閉鎖弁固定板３に固定された、閉鎖弁５１、５２を貫通させるために設けられている。
【００２６】
ヒートポンプでは、室外機１０１内の機器（四方弁１２、室外熱交換器１３及び膨張器１５）と室内機１０２内の機器（室内熱交換器１６）とが、冷媒配管１０ａ及び１０ｂで接続されている。室外機１０１内の機器を連通する冷媒配管は、閉鎖弁５１を介して冷媒配管１０ａと接続し、閉鎖弁５２を介して冷媒配管１０ｂと接続される。
【００２７】
閉鎖弁５１は２方弁である。閉鎖弁５１は、台座５１０と、主配管５１１と、分岐管５１２と、開閉部とを備える。台座５１０は主配管５１１の径方向に延びる部材であり、台座５１０と主配管５１１とは固定されている。台座５１０を閉鎖弁固定板３にねじ止めにて固定することで、主配管５１１は、閉鎖弁固定板３に固定される。主配管５１１は、室外機１０１内に配されている冷媒配管と接続されている。主配管５１１の中間部から分岐管５１２が延びている。
【００２８】
分岐管５１２は、主配管５１１と一体に形成されている。なお、主配管５１１と分岐管５１２とは内部が連通している。分岐管５１２を介して、閉鎖弁５１、すなわち、主配管５１１と、冷媒配管１０ａとが接続される。主配管５１１は先端側に開閉部が取り付けられている。開閉部を操作することで、主配管５１１から分岐管５１２につながる流路を開閉することができる。
【００２９】
閉鎖弁５２は、３方弁である。閉鎖弁５２は、台座５２０と、主配管５２１と、第１分岐管５２２と、開閉部と、第２分岐管５２３とを備える。台座５２０は主配管５２１の径方向に延びる部材であり、台座５２０と主配管５２１とは固定されている。台座５２０を閉鎖弁固定板３にねじ止めにて固定することで、主配管５２１は、閉鎖弁固定板３に固定される。主配管５２１は、室外機１０１内に配されている冷媒配管と接続されている。主配管５２１の中間部から第１分岐管５２２及び第２分岐管５２３が突出している。
【００３０】
第１分岐管５２２は、主配管５２１と一体に形成されている。なお、主配管５２１と分岐管５２２とは内部が連通している。分岐管５２２を介して、閉鎖弁５２、すなわち、主配管５２１と、冷媒配管１０ｂとが接続される。また、第２分岐管５２３は、第１分岐管５２２と同様の構成を有しているが、第１分岐管５２２とは異なる方向（ここでは、主配管５２１の中心軸を挟んだ反対側）に突出している。そして、第２分岐管５２３の先端には、蓋部が取り付けられて密閉されている。第２分岐管５２３は、冷媒の供給、追加、交換等のときに、外部の機器と接続するための配管である。
【００３１】
主配管５２１は先端側に開閉部が取り付けられている。開閉部を操作することで、主配管５２１から第１分岐管５２２につながる流路を開閉することができる。
【００３２】
本実施形態では、第１分岐管５２２と第２分岐管５２３の主配管５２１との接続部分が、主配管５２１の軸方向において同じ位置に構成しているが、これに限定されない。
【００３３】
上述のとおり、閉鎖弁５１及び５２は、内部に冷媒が循環する。ヒートポンプが動作しているとき室外機１０１から出ていく又は室外機１０１に戻る冷媒は、高温又は低温であることが多い。そして、閉鎖弁５１及び５２の内部を高温又は低温の冷媒が流通するため、閉鎖弁５１及び５２の表面も高温又は低温になる。そこで、室外機１０１には、安全性を考慮して、閉鎖弁固定板３には閉鎖弁５１及び５２を覆う閉鎖弁カバー４が取り付けられる。
【００３４】
次に、閉鎖弁固定板３及び閉鎖弁カバー４の詳細について図面を参照して説明する。図４は、閉鎖弁固定板に閉鎖弁カバーを取り付けた状態の断面図である。
【００３５】
図３に示すように、閉鎖弁固定板３は、底板２２の立ち上げ部２２２及び側周板２１の切欠き２１２の辺縁部に固定される。切欠き２１２は、閉鎖弁固定板３によって、覆われて閉鎖される。なお、閉鎖弁固定板３は、立ち上げ部２２２の内側に固定され、側周板２１は、立ち上げ部２２２の外側に固定される。
【００３６】
図３、図４に示すように、閉鎖弁固定板３は、固定凹部３１を備えている。固定凹部３１は、閉鎖弁固定板３の一方の面側が他方側に突入した形状を有している。固定凹部３１は、開口側から奥に向かって面が狭くなるようなテーパー形状を有する。固定凹部３１は、閉鎖弁固定板３を立ち上げ部２２２に取り付けたとき、室外機１０１の内部に突入する凹部である。閉鎖弁固定板３は、例えば、板金等の金属の板材であり、固定凹部３１は、押し出し加工によって形成されている。
【００３７】
固定凹部３１は、底部３２と、底部３２の辺縁部と連結された傾斜部３３とを有する。底部３２は、凹部の最も深い部分であり、平面を有する。閉鎖弁固定板３を立ち上げ部２２２に取り付けたとき、底部３２は、鉛直面を有する。このとき、底部３２は、上下方向に長い長尺部材であり、底部３２に、閉鎖弁５１の台座５１０及び閉鎖弁５２の台座５２０が固定される。なお、閉鎖弁５１の主配管５１１及び閉鎖弁５２の主配管５２１は、底部３２を貫通している。
【００３８】
図４に示すように、傾斜部３３は、底部３２に対して、傾斜を有している。すなわち、立ち上げ部２２２に固定された閉鎖弁固定板３において、傾斜部３３は、底部３２よりも水平方向に傾いている。
【００３９】
そして、立ち上げ部２２２に固定された閉鎖弁固定部３において、傾斜部３３の底部３２の下方の部分には、閉鎖弁固定板３を貫通する貫通孔３４が設けられている。閉鎖弁固定板３が立ち上げ部２２２に取り付けられている状態において、貫通孔３４は、室外機１０１の内外を連通する孔である。貫通孔３４は、閉鎖弁５１及び（又は）閉鎖弁５２で発生した結露水を、底板２２に導くための導水口としての役割を果たす。図３に示すように、貫通孔３４は、水平方向に長辺が形成された長方形状である。そして、少なくとも、閉鎖弁５１及び閉鎖弁５２の台座５１０及び５２０の水平方向の全幅が、長辺と上下方向にかさなるように形成されている。なお、貫通孔３４は、長方形に限定されず、閉鎖弁５１及び５２の閉鎖弁固定板３と接触している部分の水平方向の全幅と、上下方向に重なる形状及び大きさを広く採用することができる。閉鎖弁５１及び５２で発生する結露水の流れについては、後述する。
【００４０】
閉鎖弁カバー４は、閉鎖弁固定板３に取り付けられる。閉鎖弁カバー４は、切欠き４０と、結露受け部４１と、排水管部４２とを備えている。閉鎖弁カバー４は、閉鎖弁固定板３側が開口した箱形状である。そして、閉鎖弁カバー４は、開口を閉鎖弁固定板３に接触させて取り付けられる。切欠き４０は、閉鎖弁固定板３に取り付けたとき、閉鎖弁５１及び５２と接続する冷媒配管１０ａ及び１０ｂを閉鎖弁カバー４の外部に引き出すための窓部である。なお、切欠き４０は、冷媒配管１０ａ及び１０ｂの閉鎖弁５１及び閉鎖弁５２と接続する位置によって決まる。
【００４１】
閉鎖弁カバー４は、開口を閉鎖弁固定板３に接触して固定されるものであり、閉鎖弁５１及び閉鎖弁５２の表面で発生した結露を内部で集め、その結露水を室外機１０１の底板２２に流入させる。結露受け部４１は、閉鎖弁５１及び５２で発生した結露を受ける。結露受け部４１は、先端が閉鎖弁固定板３と接触しており、閉鎖弁固定板３を伝う結露を回収可能な構成を有する。排水管部４２は、閉鎖弁カバー４内に溜まる結露水を底部２２に導く部材である。結露受け部４１及び排水管部４２は、閉鎖弁固定板３に取り付けたときの閉鎖弁カバー４の下面４３に設けられる。下面４３は、排水管部４２に向かって下方に傾斜する。排水管部４２は、先端が閉鎖弁固定板３を貫通している。
【００４２】
室外機１０１の結露について説明する。室外機１０１において、閉鎖弁５１及び閉鎖弁５２は、外部に露出している。そのため、低温の冷媒が流動した場合、閉鎖弁５１及び（又は）閉鎖弁５２は、外部の空気と触れているため、閉鎖弁５１及び（又は）閉鎖弁５２の表面に、結露が発生する。そして、結露の量が多くなると結露水は、下方に落下する。
【００４３】
閉鎖弁５１及び閉鎖弁５２は、閉鎖弁カバー４に覆われているため、閉鎖弁５１及び閉鎖弁５２から落下した結露水は、下面４３で回収される。そして、下面４３で回収された結露水は、排水管部４２に集められて、底板２２に導かれる。また、閉鎖弁５１及び５２で発生した結露水は、台座５１０及び５２０から閉鎖弁固定板３の表面を伝って下方に流れる場合もある。この場合、閉鎖弁固定板３の台座５１０及び５２０との接触部分から下方に結露水が流れる。そして、台座５１０及び５２０は、凹部３１の底部３２に固定されているので、結露水は、底部３２を下方に流れる。底部３２は、傾斜部３３と連通しているため、底部３２を流れた結露水は、傾斜部３３に流れる。
【００４４】
そして、傾斜部３３には、横幅、すなわち、結露水が流れる方向と交差する方向の幅が、台座５１０及び５２０の全幅よりも長い長方形の貫通孔３４が設けられている。そのため、閉鎖弁固定板３を伝って流れる結露水（図４においてＤ１で示す）は、全量又は略全量、貫通孔３４から底板２２に流入する。これにより、閉鎖弁５１及び（又は）５２で発生した結露水を確実に底板２２に流入させる。また、結露水が、貫通孔３４の辺縁部から、閉鎖弁固定板３の内面側を伝って下方に流れる場合もある。閉鎖弁固定板３が、底板２２の立ち上げ部２２２の内側に取り付けられているため、結露水は、閉鎖弁固定板３の内面を伝った場合でも底板２２に流入する。
【００４５】
また、閉鎖弁固定板３の外面を流れる結露水が、貫通孔３４から内部に流入しない場合もある。閉鎖弁カバー４の結露受け部４１が、貫通孔３４の下方で、閉鎖弁固定板３の外面と接触しているため、貫通孔３４から内部に流入しない結露水は、結露受け部４１で回収されて、下面４３に流される。そして、下面４３から排水管部４２を通って、底板２２内に流入される。なお、閉鎖弁固定板３の表面を流れる結露水をすべて貫通孔３４から内部に流入させることができる場合、結露受け部４１は省略してもよい。
【００４６】
以上のとおり、本発明にかかる空気調和機の室外機１０１では、上述の構成を有していることで、閉鎖弁５１及び閉鎖弁５２で発生した結露水の室外機１０１の外部への漏れが抑制される。
【００４７】
これにより、室外機１０１が設置されている部分の床面に、結露水による水たまりができたり、室外機１０１の下を通行する通行人に結露水が落下したり等が発生しないので、使用者が不快感を覚えにくい。すなわち、室外機１０１では予め結露水を受け入れることを前提とした受け皿（ここでは、底部）に確実に結露水を流入させるので想定していない部分に結露水が流れるのを抑制できる。
【００４８】
（第２実施形態）
本発明にかかる空気調和機の室外機の他の例について図面を参照して説明する。図５は本発明にかかる空気調和機の室外機の他の例の閉鎖弁固定板に閉鎖弁カバーを取り付けた状態の断面図である。図５に示す室外機１０１Ｂは、貫通孔３４ｂが異なる以外、図４に示す室外機１０１と同じ構成を有している。そのため、室外機１０１Ｂの構成において、室外機１０１と実質上同じ部分には、同じ符号を付すとともに、同じ部分の詳細な説明は省略する。
【００４９】
図５に示すように、室外機１０１Ｂには、閉鎖弁固定板３の貫通孔３４ｂの下側の辺から外側に折り返した外板部３４１が設けられている。外板部３４１は、閉鎖弁固定板３と一体に形成されている。
【００５０】
外板部３４１が設けられていることで、閉鎖弁５１及び（又は）５２から直接落下する結露水（図５中Ｄ２で示す）を外板部３４１で受けることができる。そして、外板部３４１に落下した結露水は、外板部３４１から閉鎖弁固定板３の内側に導かれる。貫通孔３４ｂが傾斜部３３に設けられているため、外板部３４１と傾斜部３３とが構成する角度は、直角よりも小さくなる。そのため、外板部３４１の傾斜部３３との連結部分に流れた結露水は、連結部分から下方に落下しやすい。また、閉鎖弁固定板３の内部を伝って流れたとしても、閉鎖弁固定板３が立ち上げ部２２２の内側に取り付けられているため、底板２２に流れる。
【００５１】
このように、外板部３４１を設けていることで、より多くの結露水を貫通孔３４ｂから底板２２に流入させることができる。
【００５２】
また、閉鎖弁固定板３と閉鎖弁カバー４とが異なる部材で構成される場合がある。この場合、閉鎖弁固定板３と閉鎖弁カバー４との線膨張係数が異なるため、室外機１０１Ｂが配置される場所の温度によって、膨張差が発生する。膨張差が発生することで、閉鎖弁カバー４の結露受け部４１の先端と閉鎖弁固定板３との間に隙間ができる場合がある。このような場合に備えて、外板部３４１の先端が、閉鎖弁固定板３と結露受け部４１との接触部分よりも外側に到達するように、外板部３４１が設けられていてもよい。このようにすることで、閉鎖弁５１及び（又は）５２から直接落下する結露水が、結露受け部４１の先端と閉鎖弁固定板３との隙間に落下しても、外板部３４１で受けることができる。これにより、結露水をより確実に、底板２２に流入させることができる。
【００５３】
その他の効果については、第１実施形態と同じである。
【００５４】
（第３実施形態）
本発明にかかる空気調和機の室外機の他の例について図面を参照して説明する。図６は本発明にかかる空気調和機の室外機の他の例の閉鎖弁固定板に閉鎖弁カバーを取り付けた状態の断面図である。図６に示す室外機１０１Ｃは、貫通孔３５が異なる以外、図４に示す室外機１０１と同じ構成を有している。そのため、室外機１０１Ｃの構成において、室外機１０１と実質上同じ部分には、同じ符号を付すとともに、同じ部分の詳細な説明は省略する。
【００５５】
図６に示すように、閉鎖弁固定板３の固定凹部３１の底部３２の閉鎖弁５１及び５２の下方に余裕がある場合、底部３２に貫通孔３５を形成してもよい。底部３２は、鉛直方向に立設されている。そのため、貫通孔３５の上方から流れた結露水がそのまま内部に流れにくい。そこで、室外機１０１Ｃでは、貫通孔３５の上端から内側に延びる内板部３５１を備えている。内板３５１は、貫通孔３５の上端と連結しているとともに、下方に向かって内側に入り込むように形成されている。
【００５６】
このような内板部３５１が設けられていることで、貫通孔３５の上方から貫通孔３５に流れた結露水は、内板部３５１に沿って流れる（図６中Ｄ３で示す）。そして、内板部３５１の先端に到達した結露水は、下方に落下される。これにより、固定凹部３１の鉛直に立設された壁部に貫通孔を形成した場合でも、閉鎖弁５１及び（又は）５２で発生し、閉鎖弁固定板３の表面を流れる結露水を、底板２２に流入させることができる。
【００５７】
本実施形態の効果については、第１実施形態及び第２実施形態と同じである。
【００５８】
なお、本実施形態では、閉鎖弁５２の下方に、貫通孔３５を設けたものとしているが、これに限定されない。例えば、閉鎖弁５１及び閉鎖弁５２の両方の下方に貫通孔３５を設けるようにしてもよい。
【００５９】
（第４実施形態）
本発明にかかる空気調和機の室外機の他の例について図面を参照して説明する。図７は本発明にかかる空気調和機の室外機の他の例の閉鎖弁固定板に閉鎖弁カバーを取り付けた状態の断面図である。図７に示す室外機１０１Ｄは、貫通孔３５ｂが異なる以外、図６に示す室外機１０１Ｃと同じ構成を有している。そのため、室外機１０１Ｄの構成において、室外機１０１Ｃと実質上同じ部分には、同じ符号を付すとともに、同じ部分の詳細な説明は省略する。
【００６０】
図７に示すように、貫通孔３５ｂは、底部３２に形成されている。そして、貫通孔３５ｂには、下端と連結し外側に向かって延びる外板部３５２が設けられている。外板部３５２は、先端が上方に向かって外側に延びている。このような外板部３５２を備えることで、例えば、台座５１０及び（又は）台座５２０から直接落下した結露水を外板部３５２で受けることができる。そして、外板部３５２は、下方に向かって閉鎖弁固定板３に近づく傾斜を有し、下端で貫通孔３５ｂに連結している。そのため、外板部３５２に落下した結露水は、外板部３５２を伝って流れることで、貫通孔３５ｂから閉鎖弁固定板３の内側に流入する（図７Ｄ４参照）。また、閉鎖弁５１及び（又は）５２で発生し閉鎖弁固定板３の表面を伝って流れ、貫通孔３５ｂに到達した結露水もある。結露水は、貫通孔３５ｂの上端から落下する場合もあるし、貫通孔３５ｂの周縁部を伝って下方に流れる場合もある。いずれの場合も、結露水は、外板部３５２によって回収されて、閉鎖弁固定板３の内部に流入する。
【００６１】
このように、外板部３５２を設けることで、結露水をより確実に底板２２に流すことが可能である。
【００６２】
本実施形態の効果については、第３実施形態と同じである。
【００６３】
なお、本実施形態では、閉鎖弁５２の下方に、貫通孔３５ｂを設けたものとしているが、これに限定されない。例えば、閉鎖弁５１及び閉鎖弁５２の両方の下方に貫通孔３５ｂを設けるようにしてもよい。
【００６４】
以上、本発明の実施形態について説明したが、本発明はこの内容に限定されるものではない。また本発明の実施形態は、発明の趣旨を逸脱しない限り、種々の改変を加えることが可能である。
【００６５】
以上説明した本発明にかかる空気調和機の室外機は、底板を備えたケーシングと、前記底板の周縁に立設された固定板と、前記ケーシングの外側に向かって突出するように固定板に固定されて前記ケーシングの外部で冷媒配管と接続される閉鎖弁と、前記固定板に取り付けられ前記閉鎖弁を囲むカバーと、を備えた空気調和機の室外機であって、前記固定板には前記ケーシングの内側に向かって凹んだ凹部を有しており、前記凹部には前記閉鎖弁が固定されており、前記凹部には、前記閉鎖弁が固定された下方に前記ケーシング内部に貫通する貫通孔が形成されていることを特徴とする。
【００６６】
この構成によると、閉鎖弁で発生した結露を貫通孔を介してケーシングの内部に流入させることができる。これにより、想定していない部分から結露水が外部に流出して、結露水による水たまりができたり、室外機の下部を歩く人に結露水が落下したりするのを抑制できる。これにより、使用者が不快感を覚えにくい。
【００６７】
上述した空気調和機の室外機において、前記貫通孔の上端で前記底板と連続しているとともに先端が下方を向くように前記ケーシングの内側に延びる内板部が設けられていてもよい。内板部を設けることで、貫通孔の上方から流れる結露水をケーシング内に導くことができる。
【００６８】
上述した空気調和機の室外機において、前記貫通孔の下端で前記底板と連続しているとともに先端が上方を向とともに前記閉鎖弁の下方の少なくとも一部と上下に重なるように前記ケーシングの外側に延びる外板部が設けられていてもよい。外板部を設けることで、閉鎖弁から落下した結露水を、受けるとともにケーシング内に流すことができる。
【００６９】
上述した空気調和機の室外機において、前記凹部は、鉛直方向に立設する底面部を有しており、  前記貫通孔が前記底面部に設けられていてもよい。
【００７０】
上述した空気調和機の室外機において、前記凹部は、前記ケーシングの内側に向かって狭くなるように傾斜した傾斜面部を有しており、前記貫通孔が前記傾斜面部に設けられていてもよい。
【００７１】
上述した空気調和機の室外機において、前記貫通孔は、長手方向が水平な矩形状であってもよい。
【００７２】
上述した空気調和機の室外機において、前記カバーには、前記固定板と接触する接触部が設けられており、前記貫通孔は、前記接触部が接触する部分よりも上方に設けられていてもよい。
【符号の説明】
【００７３】
１  空気調和機
１０１、１０１Ｂ〜１０１Ｄ  室外機
１０２  室内機
１１  圧縮機
１２  四方弁
１３  室外熱交換器
１４  室外ファン
１５  膨張器（キャピラリチューブ）
１６  室内熱交換器
１７  室内ファン
２  ケーシング
２１  側周板
２２  底板
２２１  底部
２２２  立ち上げ部
２３  天板部
３  閉鎖弁固定板
３１  固定凹部
３２  底部
３３  傾斜部
３４、３４ｂ  貫通孔
３４１  外板部
３５、３５ｂ  貫通孔
３５１  内板部
３５２  外板部
４  閉鎖弁カバー
４０  切欠き
４１  結露受け部
４２  排水管部
４３  下面
５１  閉鎖弁
５２  閉鎖弁
【図１】
2018141572.tif 000003
【図２】
2018141572.tif 000004
【図３】
2018141572.tif 000005
【図４】
2018141572.tif 000006
【図５】
2018141572.tif 000007
【図６】
2018141572.tif 000008
【図７】
2018141572.tif 000009